(57)【要約】【課題】吐出ポートから吐出される作動流体の圧力変動によるノイズの発生を抑制可能な可変容量型ベーンポンプを提供する。【解決手段】可変容量型ベーンポンプ１００は、ロータ２と、ベーン４と、カムリング５と、サイド部材２０と、ポンプ室７と、吸込ポート２２と、吐出ポート２３と、を備える。サイド部材２０は、吸込ポート２２の終端２２ａから吐出ポート２３の始端２３ｂまでの区間である第１遷移区間２４と、吐出ポート２３の終端２３ａから吸込ポート２２の始端２２ｂまでの区間である第２遷移区間２５と、を有する。ロータ２を中心とした吸込ポート２２の始端２２ｂから終端２２ａまでの角度は、ポンプ室７が第１遷移区間２４から吐出ポート２３の始端２３ｂに連通し始める高圧化タイミングと、他のポンプ室７が第２遷移区間２５から吸込ポート２２の始端２２ｂに連通し始める低圧化タイミングと、がずれるように設定される。【選択図】図２
2014163267.tif 000002
【特許請求の範囲】
【請求項１】
流体圧供給源として用いられる可変容量型ベーンポンプであって、
動力源の動力によって回転駆動されるロータと、
前記ロータの外周に開口部を有して放射状に複数形成されるスリットと、
前記スリットごとに摺動自在に収装されるベーンと、
前記ベーンの先端部が摺接する内周カム面を有し前記ロータの中心に対して偏心可能なカムリングと、
前記カムリングの側面に当接して設けられるサイド部材と、
前記ロータと前記カムリングと前記サイド部材と隣り合う前記ベーンとの間に画成されるポンプ室と、
前記ロータの回転に伴って前記ポンプ室の容積が拡張する領域側の前記サイド部材に円弧状に形成され、前記ポンプ室に吸い込まれる作動流体を導く吸込ポートと、
前記ロータの回転に伴って前記ポンプ室の容積が収縮する領域側の前記サイド部材に円弧状に形成され、前記ポンプ室から吐出される作動流体を導く吐出ポートと、
を備え、
前記サイド部材は、前記吸込ポートの終端から前記吐出ポートの始端までの区間である第１遷移区間と、前記吐出ポートの終端から前記吸込ポートの始端までの区間である第２遷移区間と、を有し、
前記ロータを中心とした前記吸込ポートの始端から終端までの角度は、前記ポンプ室が前記第１遷移区間から前記吐出ポートの始端に連通し始める高圧化タイミングと、他の前記ポンプ室が前記第２遷移区間から前記吸込ポートの始端に連通し始める低圧化タイミングと、がずれるように設定される、
ことを特徴とする可変容量型ベーンポンプ。
【請求項２】
前記ロータを中心とした前記吸込ポートの始端から終端までの角度は、前記ロータを中心とした前記吐出ポートの始端から終端までの角度より大きい、
ことを特徴とする請求項１に記載の可変容量型ベーンポンプ
【請求項３】
前記ベーンの枚数ｎが５以上の奇数である場合、前記ロータを中心とした前記吸込ポートの始端から終端までの角度θは、ベーンの厚み分の角度をｔとすると、１８０°−（３６０°／（２・ｎ））−ｔ≦θ≦１８０°＋（３６０°／（２・ｎ））＋ｔを満たす、
ことを特徴とする請求項１又は請求項２に記載の可変容量型ベーンポンプ。
【請求項４】
前記ベーンの枚数ｎが６以上の偶数である場合、前記ロータを中心とした前記吸込ポートの始端から終端までの角度θは、ベーンの厚み分の角度をｔとすると、１８０°−ｔ≦θ≦１８０°＋（３６０°／ｎ）＋ｔを満たす、
ことを特徴とする請求項１又は請求項２に記載の可変容量型ベーンポンプ。
【請求項５】
前記ロータを中心とした前記第２遷移区間の角度は、前記ロータを中心とした前記第１遷移区間の角度より小さい、
ことを特徴とする請求項１から請求項４までのいずれか一項に記載の可変容量型ベーンポンプ。
【請求項６】
前記ロータを中心とした前記吸込ポートの始端から終端までの角度は、前記カムリングの偏心量にかかわらず、常に前記高圧化タイミングと前記低圧化タイミングとがずれるように設定される、
ことを特徴とする請求項１から請求項５までのいずれか一項に記載の可変容量型ベーンポンプ。
【請求項７】
前記カムリング外周の収容空間内に区画され、互いの圧力差によって前記ロータに対して前記カムリングを偏心させる第１流体圧室及び第２流体圧室と、
前記吐出ポートから導かれる作動流体の圧力に応じて動作し、前記第１流体圧室及び前記第２流体圧室の作動流体の圧力を制御して前記ロータに対する前記カムリングの偏心量を変化させ、ポンプ吐出流量を制御する制御バルブと、をさらに備える、
ことを特徴とする請求項１から請求項６までのいずれか一項に記載の可変容量型ベーンポンプ。 
【発明の詳細な説明】
【技術分野】
【０００１】
本発明は、流体圧供給源として用いられる可変容量型ベーンポンプに関する。
【背景技術】
【０００２】
特許文献１には、可変容量型ベーンポンプが記載されている。可変容量型ベーンポンプは、ベーンが収装されるロータと、ベーンの先端部が摺接する内周カム面を有して支持ピンを中心に揺動するカムリングと、ロータの軸方向一端側に摺接するサイドプレートと、を備える。サイドプレートには、ロータとカムリングと隣り合うベーンとの間に画成されるポンプ室に作動流体を導く吸込ポートと、ポンプ室から吐出される作動流体を導く吐出ポートと、がそれぞれ円弧状に形成される。
【０００３】
したがって、サイドプレートには、ポンプ室が吸込ポートに連通する吸込区間と、ポンプ室が吐出ポートに連通する吐出区間と、吸込ポートと吐出ポートとの間に位置する遷移区間と、が形成される。ポンプ室はこれらの区間に対し、ロータの回転に応じて、吸込区間、遷移区間、吐出区間、遷移区間の順に移行する。
【先行技術文献】
【特許文献】
【０００４】
【特許文献１】特開２００３−９７４５４号公報
【発明の概要】
【発明が解決しようとする課題】
【０００５】
上記従来の技術では、ロータの回転に伴って、一方の遷移区間に位置するポンプ室が吐出ポートに連通するのと同時に他方の遷移区間に位置するポンプ室が吸込ポートに連通する。
【０００６】
これにより、一方のポンプ室の圧力が急激に上昇すると同時に他方のポンプ室の圧力が急激に低下する。よって、カムリングの内周に作用する圧力の分布が急激に変化するので、カムリングがピンを中心にして振動することで吐出ポートから吐出される作動流体圧が変動してノイズが生じる可能性がある。
【０００７】
本発明は、このような技術的課題に鑑みてなされたものであり、吐出ポートから吐出される作動流体の圧力変動によるノイズの発生を抑制可能な可変容量型ベーンポンプを提供することを目的とする。
【課題を解決するための手段】
【０００８】
本発明は、流体圧供給源として用いられる可変容量型ベーンポンプであって、動力源の動力によって回転駆動されるロータと、ロータの外周に開口部を有して放射状に複数形成されるスリットと、スリットごとに摺動自在に収装されるベーンと、ベーンの先端部が摺接する内周カム面を有しロータの中心に対して偏心可能なカムリングと、カムリングの側面に当接して設けられるサイド部材と、ロータとカムリングとサイド部材と隣り合うベーンとの間に画成されるポンプ室と、ロータの回転に伴ってポンプ室の容積が拡張する領域側のサイド部材に円弧状に形成され、ポンプ室に吸い込まれる作動流体を導く吸込ポートと、ロータの回転に伴ってポンプ室の容積が収縮する領域側のサイド部材に円弧状に形成され、ポンプ室から吐出される作動流体を導く吐出ポートと、を備え、サイド部材は、吸込ポートの終端から吐出ポートの始端までの区間である第１遷移区間と、吐出ポートの終端から吸込ポートの始端までの区間である第２遷移区間と、を有し、ロータを中心とした吸込ポートの始端から終端までの角度は、ポンプ室が第１遷移区間から吐出ポートの始端に連通し始める高圧化タイミングと、他のポンプ室が第２遷移区間から吸込ポートの始端に連通し始める低圧化タイミングと、がずれるように設定される、ことを特徴とする。
【発明の効果】
【０００９】
本発明によれば、ロータを中心とした吸込ポートの始端から終端までの角度は、ポンプ室が第１遷移区間から吐出ポートの始端に連通し始める高圧化タイミングと、他のポンプ室が第２遷移区間から吸込ポートの始端に連通し始める低圧化タイミングと、がずれるように設定されるので、カムリングの内周に作用する圧力の分布が急激に変化することを抑制することができる。よって、カムリングが振動することで吐出ポートから吐出される作動流体圧が変動してノイズが生じることを防止することができる。
【図面の簡単な説明】
【００１０】
【図１】本発明の実施形態に係る可変容量型ベーンポンプを示す正面図である。
【図２】本発明の実施形態に係るサイドプレートにロータ及びベーンを配置した状態を示す正面図である。
【図３Ａ】ベーンの枚数が奇数である場合のサイドプレートを示す正面図である。
【図３Ｂ】ベーンの枚数が奇数である場合のサイドプレートを示す正面図である。
【図４Ａ】ベーンの枚数が偶数である場合のサイドプレートを示す正面図である。
【図４Ｂ】ベーンの枚数が偶数である場合のサイドプレートを示す正面図である。
【図５】比較例におけるサイドプレートにロータ及びベーンを配置した状態を示す正面図である。
【発明を実施するための形態】
【００１１】
以下、添付図面を参照しながら本発明の実施形態について説明する。
【００１２】
図１は、本実施形態における可変容量型ベーンポンプ１００（以下、単に「ベーンポンプ１００」という）の正面図であり、ポンプカバーを外してシャフト１の軸方向から見た図である。
【００１３】
ベーンポンプ１００は、車両に搭載される流体圧機器、例えば、パワーステアリング装置や無段変速機等の流体圧供給源として用いられる。作動流体は、オイルやその他の水溶性代替液等である。
【００１４】
ベーンポンプ１００は、例えばエンジン（図示せず）等によって駆動され、シャフト１に連結されたロータ２が、図１の矢印で示すように時計回りに回転することで流体圧を発生させる。
【００１５】
ベーンポンプ１００は、ポンプボディ３と、ポンプボディ３に回転自在に支持されるシャフト１と、シャフト１に連結されて回転駆動されるロータ２と、ロータ２に対して径方向に往復動可能に設けられる複数のベーン４と、ロータ２及びベーン４を収容するカムリング５と、カムリング５を取り囲む環状のアダプタリング６と、を備える。
【００１６】
ロータ２には、外周面に開口部を有するスリット２ａが所定間隔をおいて放射状に複数形成される。ベーン４は、各スリット２ａに摺動自在に挿入される。スリット２ａの基端側には、ベーン４がスリット２ａから突出する方向とは反対側の端部であるベーン４の基端部によって区画され作動流体が導かれる背圧室２ｂが形成される。ベーン４は、背圧室２ｂの圧力によってスリット２ａから突出する方向に押圧される。
【００１７】
ポンプボディ３には、アダプタリング６を収容するポンプ収容凹部３ａが形成される。ポンプ収容凹部３ａの底面には、ロータ２、カムリング５及びアダプタリング６の軸方向一方側（図１の奥側）に当接するサイドプレート２０が配置される。ポンプ収容凹部３ａの開口部は、ロータ２、カムリング５及びアダプタリング６の他方側（図１の手前側）に当接するポンプカバー（図示せず）によって封止される。サイド部材としてのポンプカバーとサイドプレート２０とは、ロータ２、カムリング５及びアダプタリング６の両側面を挟んだ状態で配置される。ロータ２とカムリング５との間には、各ベーン４によって仕切られたポンプ室７が画成される。
【００１８】
サイドプレート２０には、ロータ２と摺接する摺接面に、シャフト１を嵌挿する貫通孔２１（図３Ａ）と、作動流体をポンプ室７内に導く吸込ポート２２と、ポンプ室７内の作動流体を取り出して流体圧機器に導く吐出ポート２３と、が形成される。吸込ポート２２及び吐出ポート２３は、それぞれ貫通孔２１を中心とした円弧状に形成される。
【００１９】
ポンプカバーには、ロータ２と摺接する摺接面に、サイドプレート２０と対称な位置に、貫通孔、吸込ポート及び吐出ポートが形成される。すなわち、ポンプカバーの吸込ポートは、ポンプ室７を介してサイドプレート２０の吸込ポート２２に連通し、ポンプカバーの吐出ポートは、ポンプ室７を介してサイドプレート２０の吐出ポート２３に連通している。さらに、ポンプカバーの貫通孔は、サイドプレート２０の貫通孔２１と同軸上に配置される。但し、ポンプカバーの製造精度が低い場合には、ポートの切り換えタイミングがサイドプレート２０によって決定されるように、各ポートをサイドプレート２０の各ポート２２、２３よりも小さく設定してもよい。
【００２０】
カムリング５は、環状の部材であり、ベーン４がスリット２ａから突出する方向の端部であるベーン４の先端部４ａが摺接する内周カム面５ａを有する。ロータ２が回転するとベーン４の先端部４ａが内周カム面５ａに摺接しながらロータ２の径方向に伸縮する。カムリング５は、ベーン４の伸縮に応じてポンプ室７の容積が拡張する吸込領域３１と、ポンプ室７の容積が収縮する吐出領域３２と、を規定する。
【００２１】
吸込ポート２２は、サイドプレート２０を貫通し、ポンプボディ３に形成された吸込通路（図示せず）を通じてタンク（図示せず）に連通され、タンクの作動流体が吸込通路を通じてサイドプレート２０の吸込ポート２２からポンプ室７へと供給される。
【００２２】
吐出ポート２３は、サイドプレート２０を貫通し、ポンプボディ３に形成された高圧室（図示せず）に連通される。高圧室は、吐出通路（図示せず）を通じてベーンポンプ１００の外部の流体圧機器（図示せず）に連通される。すなわち、ポンプ室７から吐出される作動流体は、吐出ポート２３、高圧室、吐出通路を通じて流体圧機器へと供給される。
【００２３】
アダプタリング６は、ポンプボディ３のポンプ収容凹部３ａ内に収容される。アダプタリング６とカムリング５との間であってロータ２より吐出ポート２３側には、支持ピン８が介装される。支持ピン８にはカムリング５が支持され、カムリング５はアダプタリング６の内側で支持ピン８を支点に揺動し、シャフト１の中心に対して偏心する。
【００２４】
アダプタリング６の内周であってシャフト１の中心に対して支持ピン８とは反対側にはシール溝６ｃが形成される。シール溝６ｃには、カムリング５の揺動時にカムリング５の外周面が摺接するシール材９が介装される。カムリング５の外周面とアダプタリング６の内周面との間には、支持ピン８とシール材９とによって、第１流体圧室１１と第２流体圧室１２とが区画される。
【００２５】
カムリング５は、第１流体圧室１１と第２流体圧室１２との圧力差によって、支持ピン８を支点として揺動する。カムリング５が揺動すると、ロータ２に対するカムリング５の偏心量が変化し、ポンプ室７の吐出容量が変化する。カムリング５が図１において支持ピン８に対して反時計回りに揺動すると、ロータ２に対するカムリング５の偏心量が小さくなり、ポンプ室７の吐出容量は小さくなる。反対に、カムリング５が支持ピン８に対して図１の時計回りに揺動すると、ロータ２に対するカムリング５の偏心量が大きくなり、ポンプ室７の吐出容量は大きくなる。
【００２６】
アダプタリング６の内周面には、ロータ２に対する偏心量が小さくなる方向のカムリング５の移動を規制する規制部６ａと、ロータ２に対する偏心量が大きくなる方向のカムリング５の移動を規制する規制部６ｂと、がそれぞれ膨出して形成される。つまり、規制部６ａはロータ２に対するカムリング５の最小偏心量を規定し、規制部６ｂはロータ２に対するカムリング５の最大偏心量を規定する。
【００２７】
第１流体圧室１１と第２流体圧室１２との圧力差は、第１流体圧室１１及び第２流体圧室１２に作動流体圧を供給する制御バルブ１０によって制御される。制御バルブ１０は、ロータ２の回転速度の増加に伴ってロータ２に対するカムリング５の偏心量が小さくなるように第１流体圧室１１及び第２流体圧室１２の作動流体圧を制御する。
【００２８】
図２は、サイドプレート２０にロータ２及びベーン４を配置した正面図である。なお、図２では図中１２時方向に支持ピン８が位置する向きでサイドプレート２０を示している。さらに、図２の２点破線は、カムリング５の偏心量が最大の場合におけるカムリング５の内周カム面５ａを示している。
【００２９】
サイドプレート２０に嵌装されたシャフト１には、ベーン４が収装されたロータ２が嵌装される。ロータ２から径方向に突出するベーン４は、先端部４ａがカムリング５の内周カム面５ａに摺接する。ロータ２とカムリング５と隣り合うベーン４間に画成されるポンプ室７は、ロータ２の回転に伴ってロータ２の周方向に移動し、ベーン４の伸縮に応じて容積が変化する。
【００３０】
吸込領域３１では、ポンプ室７が吸込ポート２２に連通して吸込ポート２２からポンプ室７へと作動流体が吸い込まれる。吐出領域３２では、ポンプ室７が吐出ポート２３に連通してポンプ室７から吐出ポート２３を介して作動流体が吐出される。吸込領域３１におけるポンプ室７への吸込と吐出領域３２におけるポンプ室７からの吐出とを切り換えるため、吸込ポート２２と吐出ポート２３との間には所定の間隔が設けられる。
【００３１】
すなわち、吸込ポート２２の終端２２ａから吐出ポート２３の始端２３ｂまでの間には第１遷移区間２４が設けられ、吐出ポート２３の終端２３ａから吸込ポート２２の始端２２ｂまでの間には第２遷移区間２５が設けられる。
【００３２】
ロータ２の回転に伴って、ポンプ室７が第１遷移区間２４を通過する場合について説明する。
【００３３】
周方向全域に亘って吸込ポート２２に連通している状態のポンプ室７が第１遷移区間２４に近づくと、吸込ポート２２への開口面積が徐々に減少するとともに第１遷移区間２４とのオーバーラップ面積が徐々に増加する。その後、ポンプ室７が周方向全域に亘って第１遷移区間２４とオーバーラップする状態になると、図２に斜線で示すように作動流体がポンプ室７内に閉じ込められる。この場合、ポンプ室７は吸込ポート２２及び吐出ポート２３のいずれにも連通しないか、又は連通するとしてもその開口面積が非常に小さい。
【００３４】
上記状態から、さらにロータ２が回転すると、ポンプ室７が吐出ポート２３の始端２３ｂに連通し始める。すなわち、ポンプ室７の周方向前方のベーン４が吐出ポート２３の始端２３ｂを超える。この時、吐出ポート２３の高圧の作動流体がポンプ室７内に勢いよく流入するのでポンプ室７は高圧化する（以下、このタイミングを「高圧化タイミング」と称する）。
【００３５】
ロータ２の回転に伴って、ポンプ室７が第２遷移区間２５を通過する場合について説明する。
【００３６】
周方向全域に亘って吐出ポート２３に連通している状態のポンプ室７が第２遷移区間２５に近づくと、吐出ポート２３への開口面積が徐々に減少するとともに第２遷移区間２５とのオーバーラップ面積が徐々に増加する。その後、ポンプ室７が周方向全域に亘って第２遷移区間２５とオーバーラップする状態になると、作動流体がポンプ室７内に閉じ込められる。この場合、ポンプ室７は吸込ポート２２及び吐出ポート２３のいずれにも連通しないか、又は連通するとしてもその開口面積が非常に小さい。
【００３７】
上記状態から、さらにロータ２が回転すると、ポンプ室７が吸込ポート２２の始端２２ｂに連通し始める。すなわち、ポンプ室７の周方向前方のベーン４が吸込ポート２２の始端２２ｂを超える。この時、吸込ポート２２の負圧によってポンプ室７内の作動流体が勢いよく流出するのでポンプ室７は低圧化する（以下、このタイミングを「低圧化タイミング」と称する）。
【００３８】
ここで、図５を参照して、比較例のベーンポンプにおける高圧化タイミング及び低圧化タイミングについて説明する。図５は、比較例におけるサイドプレート１２０にロータ２及びベーン４を配置した状態を示す正面図である。図５は、図２と同様に、図中１２時方向に支持ピン８が位置する向きでサイドプレート１２０を示している。さらに、図５の２点破線は、カムリング５の偏心量が最大の場合におけるカムリング５の内周カム面５ａを示している。
【００３９】
比較例では、図５の斜線で示すように、ロータ２の回転に伴って、ポンプ室７が周方向全域に亘って第１遷移区間１２４とオーバーラップするのと同時に、他のポンプ室７が周方向全域に亘って第２遷移区間１２５とオーバーラップする。
【００４０】
したがって、図５に示す状態からロータ２の回転を進めると、第１遷移区間１２４側のポンプ室７が吐出ポート１２３の始端１２３ｂに連通するのと同時に、第２遷移区間１２５側のポンプ室７が吸込ポート１２２の始端１２２ｂに連通する。つまり、高圧化タイミングと低圧化タイミングとが一致する。
【００４１】
第１遷移区間１２４側のポンプ室７が高圧化すると同時に第２遷移区間１２５側のポンプ室７が低圧化すると、カムリング５の内周カム面５ａが全周に亘って全てのポンプ室７から受ける圧力の分布において、高圧な部分が第１遷移区間１２４側に偏る。これにより、支持ピン８を中心として図５の時計回りにカムリング５を揺動させる方向に力が作用する。
【００４２】
その後も、ロータ２の回転に伴って高圧化タイミングと低圧化タイミングとが一致する度に、圧力分布の偏りが生じるので、所定の周期でカムリング５が振動する。よって、吐出ポート１２３から吐出される作動流体圧が変動してノイズが生じる可能性がある。
【００４３】
そこで、本実施形態では、図２に示すように、高圧化タイミングと低圧化タイミングとがずれるように吸込ポート２２を形成した。吸込ポート２２は円弧状であり、その形状は、ロータ２を中心とした吸込ポート２２の始端２２ｂから終端２２ａまでの角度θ１（以下、「吸込ポート２２の角度θ１」と称する）によって規定される。
【００４４】
なお、以下の説明では、図２示すようにカムリング５の偏心量が最大である場合を前提とするが、吸込ポート２２の角度θ１は、カムリング５の偏心量がより小さい場合でも高圧化タイミングと低圧化タイミングとが常にずれるように形成される。
【００４５】
カムリング５によって規定される吸込領域３１は、内周カム面５ａの周方向半分である１８０°の範囲に亘って形成されるので、吸込ポート２２の角度θ１を約１８０°に設定することで、吸込面積を大きくし作動流体の吸込性を向上させてポンプ性能を向上させることができる。
【００４６】
また、吐出ポート２３は円弧状であり、その形状は、吸込ポート２２の角度θ１に応じて規定される。吸込ポート２２の終端２２ａと吐出ポート２３の始端２３ｂとの間（第１遷移区間２４）には、ほぼポンプ室一部屋分に相当する間隔が設けられる。吐出ポート２３の終端２３ａと吸込ポート２２の始端２２ｂとの間（第２遷移区間２５）にも、同様にほぼポンプ室一部屋分に相当する間隔が設けられる。
【００４７】
したがって、吸込ポート２２の角度θ１を約１８０°に設定すると、吐出ポート２３の始端２３ｂから終端２３ａまでの角度θ２（以下、「吐出ポート２３の角度θ２」と称する）は、第１遷移区間２４及び第２遷移区間２５の分だけ吸込ポート２２の角度θ１より小さく設定される。
【００４８】
また、上述のようにカムリング５は、支持ピン８を中心として図２の時計回りに揺動してロータ２の中心に対して偏心する。カムリング５の偏心量が大きくなると、第２遷移区間２５における内周カム面５ａが吐出ポート２３及び吸込ポート２２の外周から内周側へと移動するので、第２遷移区間２５の角度範囲が広くなる。したがって、ロータ２を中心とした第２遷移区間２５の角度は第１遷移区間２４の角度以下となるように設定される。
【００４９】
以下、吸込ポート２２の角度範囲について説明する。吸込ポート２２の角度範囲は、ロータ２に収装されるベーン４の枚数が奇数であるか偶数であるかによって異なる。
【００５０】
図３Ａは、ベーン４の枚数が奇数である場合の吸込ポート２２の最小角度θ１ｍｉｎを示す図である。図３Ｂは、ベーン４の枚数が奇数である場合の吸込ポート２２の最大角度θ１ｍａｘを示す図である。図３Ａ及び図３Ｂは、一例としてベーン４の枚数が１１枚である場合について示しているが、９枚や１３枚など枚数が５以上の奇数であればよい。
【００５１】
ベーン４の枚数が奇数である場合、あるベーン４からロータ２を中心として１８０°ずれた位置は、この位置を挟んで両側に配置されるベーン４間の中間位置、すなわちポンプ室７の中間位置に該当する。
【００５２】
したがって、１８０°を基準にした場合の吸込ポート２２の最小角度θ１ｍｉｎは、１８０°から、ポンプ室７の半分に相当する角度と、ベーン４の厚み分の角度と、を減算した値となる。同様に、吸込ポート２２の最大角度θ１ｍａｘは、１８０°に、ポンプ室７の半分に相当する角度と、ベーン４の厚み分の角度と、を加算した値となる。
【００５３】
つまり、ベーン４の枚数をｎ（ｎ＝５，７，９・・・）、ベーン４の厚み分の角度をｔとすると、吸込ポート２２の角度θ１は、１８０°−（３６０°／（２・ｎ））−ｔ≦θ１≦１８０°＋（３６０°／（２・ｎ））＋ｔの範囲内に設定される。
【００５４】
これにより、図３Ａ及び図３Ｂに示すように、第１遷移区間２４側のポンプ室７が吐出ポート２３の始端２３ｂに連通し始める時に、第２遷移区間２５側のポンプ室７は吸込ポート２２の始端２２ｂに連通しないので、高圧化タイミングと低圧化タイミングとをずらすことができる。
【００５５】
一方、図４Ａは、ベーン４の枚数が偶数である場合の吸込ポート２２の最小角度θ１ｍｉｎを示す図である。図４Ｂは、ベーン４の枚数が偶数である場合の吸込ポート２２の最大角度θ１ｍａｘを示す図である。図４Ａ及び図４Ｂは、一例としてベーン４の枚数が１０枚である場合について示しているが、８枚や１２枚など枚数が６以上の偶数であればよい。
【００５６】
ベーン４の枚数が偶数である場合、あるベーン４からロータ２を中心として１８０°ずれた位置には、他のベーン４が位置する。
【００５７】
したがって、１８０°を基準にした場合の吸込ポート２２の最小角度θ１ｍｉｎは、１８０°から、ベーン４の厚み分の角度を減算した値となる。同様に、吸込ポート２２の最大角度θ１ｍａｘは、１８０°に、ポンプ室７に相当する角度と、ベーン４の厚み分の角度と、を加算した値となる。
【００５８】
つまり、ベーン４の枚数をｎ（ｎ＝６，８，１０・・・）、ベーン４の厚み分の角度をｔとすると、吸込ポート２２の角度θ１は、１８０°−ｔ≦θ１≦１８０°＋（３６０°／ｎ）＋ｔの範囲内に設定される。
【００５９】
これにより、図４Ａ及び図４Ｂに示すように、第１遷移区間２４側のポンプ室７が吐出ポート２３の始端２３ｂに連通し始める時に、第２遷移区間２５側のポンプ室７は吸込ポート２２の始端２２ｂに連通しないので、高圧化タイミングと低圧化タイミングとをずらすことができる。
【００６０】
以上の実施形態によれば、以下に示す効果を奏する。
【００６１】
吸込ポート２２の角度θ１は、ポンプ室７が第１遷移区間２４から吐出ポート２３の始端２３ｂに連通し始める高圧化タイミングと、他のポンプ室７が第２遷移区間２５から吸込ポート２２の始端２２ｂに連通し始める低圧化タイミングと、がずれるように設定される。よって、カムリング５の内周に作用する圧力の分布が急激に変化することを抑制でき、カムリング５が振動することで吐出ポート２３から吐出される作動流体圧が変動してノイズが生じることを防止することができる。
【００６２】
さらに、吸込ポート２２の角度θ１は、吐出ポート２３の角度θ２より大きく設定されるので、作動流体の吸込性を向上させてポンプ性能を向上させることができる。また、吐出ポート２３の角度θ２が相対的に小さくなることで、吐出ポート２３が高圧の作動流体から圧力を受ける面積が小さくなるので、ポンプ内に生じる力が低減され、カムリング５の振動による作動流体圧の変動をより確実に防止することができる。
【００６３】
さらに、ベーン４の枚数ｎが５以上の奇数である場合、吸込ポート２２の角度θ１は、１８０°−（３６０°／（２・ｎ））−ｔ≦θ１≦１８０°＋（３６０°／（２・ｎ））＋ｔの式によって規定される。これにより、ベーン４の枚数が５以上の奇数であるベーンポンプ１００において、吸込ポート２２の角度θ１を１８０°付近に保って吸込性を向上させるとともに、高圧化タイミングと低圧化タイミングとが一致することを回避することができる。
【００６４】
さらに、ベーン４の枚数ｎが６以上の偶数である場合、吸込ポート２２の角度θ１は、１８０°−ｔ≦θ１≦１８０°＋（３６０°／ｎ）＋ｔの式によって規定される。これにより、ベーン４の枚数が６以上の偶数であるベーンポンプ１００において、吸込ポート２２の角度θ１を１８０°付近に保って吸込性を向上させるとともに、高圧化タイミングと低圧化タイミングとが一致することを回避することができる。
【００６５】
さらに、ロータ２を中心とした第２遷移区間２５の角度は第１遷移区間２４の角度より小さくなるように設定されるので、カムリング５の偏心量が増大して内周カム面５ａが吐出ポート２３及び吸込ポート２２の外周から内周側へと移動することで第２遷移区間２５の角度範囲が大きくなって、第１遷移区間２４と第２遷移区間２５との角度範囲の差が大きくなることを防止することができる。
【００６６】
さらに、吸込ポート２２の角度θ１は、カムリング５の偏心量にかかわらず、常に高圧化タイミングと低圧化タイミングとがずれるように設定されるので、ベーンポンプ１００の回転速度にかかわらず常にカムリング５の振動による作動流体圧の変動を防止することができる。
【００６７】
さらに、ベーンポンプ１００は、互いの圧力差によってロータ２に対してカムリング５を偏心させる第１流体圧室１１及び第２流体圧室１２と、第１流体圧室１１及び第２流体圧室１２の作動流体の圧力を制御する制御バルブ１０と、を備えるので、吐出ポート２３から吐出される作動流体圧の変動が抑制されることで、吐出ポート２３から第１流体圧室１１及び第２流体圧室１２に導かれる作動流体圧の変動も抑制され、制御バルブ１０を適切に機能させることができる。
【００６８】
以上、本発明の実施形態について説明したが、上記実施形態は本発明の適用例の一つを示したに過ぎず、本発明の技術的範囲を上記実施形態の具体的構成に限定する趣旨ではない。
【００６９】
例えば、上記実施形態では、サイドプレート２０に設けられる吸込ポート２２及び吐出ポート２３の角度θ１、θ２について規定したが、ポンプカバーに設けられる吸込ポート及び吐出ポートの角度を同様に規定してもよい。
【００７０】
さらに、上記実施形態では、吸込ポート２２の角度θ１が吐出ポート２３の角度θ２より大きい場合について説明したが、高圧化タイミングと低圧化タイミングとが一致しない範囲で吐出ポート２３の角度θ２の方が大きくなるように設定してもよい。
【００７１】
さらに、上記実施形態では、吸込ポート２２の角度範囲を１８０°を基準にして規定したが、吸込性が悪化しない範囲で、１８０°より小さい角度を基準にして規定してもよい。
【００７２】
さらに、上記実施形態では、第２遷移区間２５の角度を第１遷移区間２４の角度以下となるように設定したが、第２遷移区間２５の角度が第１遷移区間２４の角度より大きくなるように設定してもよい。
【００７３】
さらに、上記実施形態では、カムリング５の偏心量にかかわらず、常に高圧化タイミングと低圧化タイミングとがずれるように吸込ポート２２の角度θ１を設定したが、所定の偏心量の場合だけ高圧化タイミングと低圧化タイミングとがずれるように設定してもよい。
【００７４】
さらに、上記実施形態では、吐出ポート２３から吐出された作動流体を制御バルブ１０によってカムリング外周の第１流体圧室１１及び第２流体圧室１２に供給することで、カムリング５の偏心量を制御しているが、作動流体圧以外の方法によってカムリング５の偏心量を制御する場合にも適用可能である。
【符号の説明】
【００７５】
２    ロータ
２ａ  スリット
４    ベーン
４ａ  先端部
５    カムリング
５ａ  内周カム面
７    ポンプ室
１０    制御バルブ
１１    第１流体圧室
１２    第２流体圧室
２０    サイドプレート（サイド部材）
２２    吸込ポート
２２ａ  吸込ポートの終端
２２ｂ  吸込ポートの始端
２３    吐出ポート
２３ａ  吐出ポートの終端
２３ｂ  吐出ポートの始端
２４    第１遷移区間
２５    第２遷移区間
３１    吸込領域（ポンプ室の容積が拡張する領域）
３２    吐出領域（ポンプ室の容積が収縮する領域）
１００    可変容量型ベーンポンプ
【図１】
2014163267.tif 000003
【図２】
2014163267.tif 000004
【図３Ａ】
2014163267.tif 000005
【図３Ｂ】
2014163267.tif 000006
【図４Ａ】
2014163267.tif 000007
【図４Ｂ】
2014163267.tif 000008
【図５】
2014163267.tif 000009